(57)【要約】【課題】赤外線検出器（５）を利用し物体の移動を検出し、それを電子装置（２４）に対する制御手段に変換して物体の移動により電子装置（２４）の特定機能を起動する、赤外線検出を利用した電子装置制御方法の提供。【解決手段】この赤外線検出を利用した電子装置制御方法は、赤外線検出器（５）を利用して被検出物（３）の移動波形を検出し電子装置（２４）を制御する制御信号を生成し、該制御方法は、少なくとも一つの実行命令を設定（１０）し、各実行命令の実行条件を設定（１１）し、赤外線検出器（５）の検出信号を取得し、該検出信号の変動波形を計算（１３）し、該検出信号の変動波形が符合する実行条件を判断し、並びに符合する実行条件に対応する実行命令を実行（１５）する。【選択図】図１
2009294715.tif 000002
【特許請求の範囲】
【請求項１】
赤外線検出を利用した電子装置制御方法において、該制御方法は赤外線検出器（５）を利用して被検出物（３）の移動波形を検出し電子装置（２４）を制御する制御信号を生成し、その特徴は、該制御方法は、
Ａ．少なくとも一つの実行命令を設定（１０）し、そのうち該実行命令は該電子装置（２４）が実行する特定の機能を制御する、
Ｂ．各実行命令の具備する実行条件を設定（１１）する、
Ｃ．赤外線検出器（５）の検出信号を取得し、そのうち、該検出信号は該赤外線検出器（５）が該被検出物（３）の位置を判断することにより生成される、
Ｄ．該検出信号の変動波形を計算（１３）し、そのうち、該検出信号の変動波形は該赤外線検出器（５）が該被検出物（３）の移動を検出することにより決定される、
Ｅ．該検出信号の変動波形に符合する実行条件を判断し、並びに符合する実行条件に対応する実行命令を実行（１５）する、
以上を包含することを特徴とする、赤外線検出を利用した電子装置制御方法。
【請求項２】
請求項１記載の赤外線検出を利用した電子装置制御方法において、該被検出物（３）の移動は、被検出物（３）の移動方向及び移動距離を包含し、且つ異なる検出信号変動波形はそれぞれ該被検出物（３）の異なる移動方向及び移動距離に対応し、異なる実行命令の実行条件は該被検出物（３）の異なる移動方向或いは移動距離或いは異なる移動方向と移動距離の組合せとされ得ることを特徴とする、赤外線検出を利用した電子装置制御方法。
【請求項３】
請求項１記載の赤外線検出を利用した電子装置制御方法において、該実行命令は対応する該電子装置（２４）の特定機能を発生させる制御信号であり、且つ該電子装置（２４）に該制御信号を伝送することにより該電子装置（２４）に該特定機能を起動させることを特徴とする、赤外線検出を利用した電子装置制御方法。
【請求項４】
請求項１記載の赤外線検出を利用した電子装置制御方法において、この方法を実施する回路構造は、赤外線検出器（５）中に検出ユニット（２１）を具備し、且つ該検出ユニット（２１）が該被検出物（３）を検出する複数の検出素子（２１１）を有して該検出信号を生成し、且つ該検出ユニット（２１）が計算ユニット（２２）に接続され、該計算ユニット（２２）が該検出信号を取得して該検出信号の変動波形を判断して変動波形信号を生成し、該計算ユニット（２２）は更に少なくとも一つのトリガ回路を具備し、該トリガ回路は該変動波形信号を受け取り実行命令信号を生成して命令生成ユニット（２３）に送り、該命令生成ユニット（２３）は該実行命令信号を受け取り制御信号を生成して該電子装置（２４）に送ることを特徴とする、赤外線検出を利用した電子装置制御方法。
【請求項５】
請求項１記載の赤外線検出を利用した電子装置制御方法において、該電子装置（２４）はデジタルフレーム（４）とされることを特徴とする、赤外線検出を利用した電子装置制御方法。
【請求項６】
請求項１記載の赤外線検出を利用した電子装置制御方法において、該電子装置（２４）はコンピュータ（６）とされることを特徴とする、赤外線検出を利用した電子装置制御方法。
【発明の詳細な説明】
【技術分野】
【０００１】
本発明は赤外線検出を利用した電子装置制御方法に係り、特に、赤外線を利用して物体を検出し、並びに該物体の移動の変動波形を判断してそれに基づき電子設備を制御する制御信号を生成する方法に関する。
【背景技術】
【０００２】
１８００年英国のＲｏｙａｌ  Ｓｏｃｉｅｔｙのウイリアム・ハーシェル卿が太陽光は可視スペクトルの赤色光のほかに、更に不可視の延伸スペクトルを有することを発表した後、赤外線の研究によりその応用範囲及び機能は不断に拡大し強化され、そのうち、主要な用途は赤外線を物体検出に利用することである。温体輻射は赤外線センサが検出可能な範囲を包含し、赤外線センサはそのタイプにより人体、動植物を検出するものから機械装置の発射する特定波長の赤外線を検出するものがある。これにより更に応用領域が広がっている。そのうち、一般生活でよく目にされる応用は、通信、盗難防止、撮影及び人体或いは物体位置等の検出用途であり、例えば特許文献１の「人体検出自動点灯照明装置」があり、それは赤外線人体検出素子、光検出素子及び複数の発光ダイオードを有し、光検出素子が周辺の光線を検出し、光線が不足し且つ人が検出場所を通ると、該赤外線人体検出素子が人体の赤外線信号を検出して該発光ダイオードを一定の時間、点灯させ、照明の作用を達成する。前述の背景技術及びこの特許文献１から赤外線は物体位置を検出する機能を有することが分かる。また、別の文献、例えば特許文献２の「仮想インタフェースで使用者により選択された入力を判断するためのシステム及び方法」では、投影装置を利用して仮想の入力インタフェースを投影し、並びに深さセンサを利用し、使用者がクリックした位置を判断し、それにより使用者が入力した信号を判断する。そのうち、該深さセンサは赤外線を検出するセンサである。しかし、この技術は赤外線を利用して人体或いはその他の物体等、被検出物の位置を検出するだけであり、被検出物の移動により更に制御命令を提供してそれにより赤外線検出の応用方式を拡大することはない。さらに、別の特許文献３には信号変換構造が記載され、それはＣＰＵ演算及びメモリの利用により対応する信号テーブルを生成し、これにより信号を対応する別の信号に変換して電子装置に提供する。しかしこの特許文献３にはその具体的な実施のために組み合わされるハードウエア構造は記載されていない。
【０００３】
【特許文献１】台湾特許第Ｍ３２００３１号明細書
【特許文献２】米国特許第７１５１５３０号明細書
【特許文献３】米国特許公開第２００８０１０４３０２号明細書
【発明の開示】
【発明が解決しようとする課題】
【０００４】
上述の赤外線検出技術の特徴及び周知の特許文献に赤外線を利用して被検出物の移動を検出しその変動波形により制御信号を生成する技術が記載されていないことから、本発明の目的は、一種の、赤外線検出を利用し且つ被検出物の移動を判断して制御信号に変換する制御方法及び実施構造を提供することにある。
【課題を解決するための手段】
【０００５】
本発明は一種の赤外線検出を利用した電子装置制御方法であり、それは、赤外線検出器を利用して被検出物の移動波形を検出し電子装置を制御する制御信号を生成し、該制御方法は、少なくとも一つの実行命令を設定し、各実行命令の実行条件を設定し、赤外線検出器の検出信号を取得し、該検出信号の変動波形を計算し、該検出信号の変動波形が符合する実行条件を判断し、並びに符合する実行条件に対応する実行命令を実行する。上述の方法により、赤外線検出器を利用し物体の移動を検出し、それを電子装置に対する制御手段に変換して物体の移動により電子装置の特定機能を起動する。
【発明の効果】
【０００６】
本発明は赤外線検出器を利用し物体の移動を検出し、それを電子装置に対する制御手段に変換して物体の移動により電子装置の特定機能を起動する、赤外線検出を利用した電子装置制御方法を提供している。
【発明を実施するための最良の形態】
【０００７】
本発明の詳細な説明及び技術内容は図面と組み合わせて以下のように説明される。
本発明は赤外線検出を利用した電子装置制御方法であり、該制御方法は赤外線検出器を利用して被検出物の移動を検出し、該被検出物の移動が該赤外線検出器内において変動波形を形成して電子装置を制御する制御信号を生成する。そのうち、該制御方法は以下のＡからＥのステップを有し、すなわち、Ａ．少なくとも一つの実行命令を設定する、Ｂ．各実行命令の具備する実行条件を設定する、Ｃ．赤外線検出器の検出信号を取得する、Ｄ．該検出信号の変動波形を計算する、Ｅ．該検出信号の変動波形に符合する実行条件を判断し、並びに符合する実行条件に対応する実行命令を実行する。
【０００８】
そのうち、上述の実行命令は該電子装置が実行する特定の機能を制御し、該検出信号は該赤外線検出器が該被検出物の位置を判断することにより生成され、該被検出物が移動する時に該赤外線検出器が被検出物の位置の移動を検出して該検出信号の変動波形を決定し、これにより該変動波形を変換して電子装置を制御する実行命令となす。
【０００９】
上述の制御方法のステップは図１のフローチャートに示されるようであり、まず、少なくとも一つの実行命令を設定（１０）し、その後、各実行命令の具備する実行条件を設定（１１）し、並びに赤外線検出器の検出信号を取得（１２）し、該検出信号を取得後に、もし該被検出物が移動していれば、該検出信号の変動波形を計算（１３）し、並びに該検出信号の変動波形に符合する実行条件を判断（１４）し、最後にこの符合する実行条件に対応する実行命令を実行（１５）し、該実行命令は該電子装置の特定機能に対応する制御信号を生成し、且つ該制御信号を該電子装置に伝送して該電子装置に該特定機能を起動させる。
【００１０】
上述の方法により、使用者の手は被検出物と見なすことができ、使用者の手が赤外線検出器の前で振られると、検出信号の変動波形が計算され、並びに該検出信号の変動波形が電子装置に対する制御信号に変換されることにより、使用者が赤外線検出器の前で直接タッチしなくとも該電子装置の運転を制御しなくとも、赤外線検出を利用して電子装置を制御する機能を達成することができる。
【００１１】
上述の方法の実施回路構造については図２を参照されたい。そのうち、赤外線検出器は検出ユニット（２１）を具備し、該検出ユニット（２１）は該被検出物（３）（図４から図６及び図７）を検出する複数の検出素子（２１１）（図３に示される）を具備し、且つ該検出ユニット（２１）の複数の検出素子（２１１）は異なる位置に配列され、これにより被検出物（３）が移動する時、各検出素子（２１１）が検出する検出信号には変動があり、実際には該検出信号は検出ユニット（２１）中にあっては電力波形の形式で表現されるか或いは伝送され、これにより該検出信号の変動は該被検出物（３）の移動経路に沿って変動波形を形成し、該検出信号と該変動波形の生成原理は本技術領域中にあって一般の技術を具備する者の熟知するところであるので、詳しい説明は省略する。
【００１２】
該検出ユニット（２１）は計算ユニット（２２）に接続され、該計算ユニット（２２）は該検出信号を取得し並びに該検出信号の変動波形の異なる形態を判断して変動波形信号を生成する。そのうち、該計算ユニット（２２）は複数のトリガ回路を具備し、且つ各トリガ回路は異なる極性或いは大きさの電力を受け取ることにより作動し、そのうち、該トリガ回路は分圧の方式で異なる極性或いは大きさの電力を受け取ることにより作動する機能を達成する。該トリガ回路の設計は電子設計領域中、一般の知識を具備する者であれば容易に理解できる。該トリガ回路が該変動波形信号を受けてトリガされて実行命令を生成して命令生成ユニット（２３）に送り、該命令生成ユニット（２３）は該実行命令信号を受け取って制御信号を生成して電子装置（２４）に送る。上述の回路構造は被検出物（３）の移動を利用して、検出信号の変動波形を制御信号に変換することにより、電子装置（２４）の動作を制御する。
【００１３】
図３を参照されたい。この図は該検出ユニット（２１）中の複数の検出素子（２１１）が移動する被検出物（３）を検出する状況を示す。各検出素子（２１１）は被検出物（３）を検出して検出信号を取得し、そのうち、該検出素子（２１１）は異なる軸方向の配列を有し得て、並びに隣り合う検出素子（２１１）間の距離を設定可能であり、これにより複数の検出素子（２１１）が検出する被検出物（３）の位置移動は、被検出物（３）の異なる移動方向及び被検出物（３）の移動距離を含み得る。そのうち該被検出物（３）の移動により該検出素子（２１１）にあって取得される電子信号は波形の形態でできるだけ真実に表現され、該被検出物（３）の移動は該検出素子（２１１）により該変動波形の方向と距離Ｄが検出され、該計算ユニット（２２）と該命令生成ユニット（２３）がそれに基づき制御信号に変換する。異なる変動波形の方向と距離Ｄはそれぞれ該被検出物（３）の異なる移動方向と移動距離に対応するため、上述の方法に対応し、異なる実行命令の実行条件は該被検出物（３）の異なる移動方向或いは異なる移動距離とされるか、或いは異なる移動方向と移動距離の組合せとされ得て、例えば、該実行条件は該被検出物（３）の右向きの１０ｃｍ移動とされ得る。該変動波形の方向と距離Ｄが前述の実行条件に符合する時、上述の方法と回路構造により対応する制御信号命令が生成されて該電子装置（２４）を動作させる。
【００１４】
図４から図６を参照されたい。上述の電子装置（２４）はデジタルフレーム（４）とされ得て、デジタルフレーム（４）に赤外線検出器（５）が設置され、且つ該デジタルフレーム（４）はちょうど映像（４１）を表示している。被検出物（３）は使用者の手とされ得る。該赤外線検出器（５）が被検出物（３）の左方向移動を検出して映像機能更新の実行条件を達成する時、該デジタルフレーム（４）は更新画像の機能を実行し、該映像（４１）を消失するまで左方向に移動させると共に、別の映像（４２）に交替させる。図７を参照されたい。本発明の方法は赤外線検出器（５）を具えたコンピュータ（６）において実施可能であり、該被検出物（３）の動作により該コンピュータ（６）に例えばカーソル移動、入力文字選択或いはファイルの選択と実行等設定の機能の実行を指示する。
【図面の簡単な説明】
【００１５】
【図１】本発明の方法のステップのフローチャートである。
【図２】本発明の方法の回路構造図である。
【図３】本発明の方法の検出ユニットの検出表示図である。
【図４】本発明の実施例の表示図（一）である。
【図５】本発明の実施例の表示図（二）である。
【図６】本発明の実施例の表示図（三）である。
【図７】本発明の別の実施例の表示図である。
【符号の説明】
【００１６】
（５）赤外線検出器
（２１）検出ユニット
（２１１）検出素子
（２２）計算ユニット
（２３）命令生成ユニット
（２４）電子装置
（３）被検出物
（４）デジタルフレーム
（４１）映像
（４２）映像
（６）コンピュータ
【図１】
2009294715.tif 000003
【図２】
2009294715.tif 000004
【図３】
2009294715.tif 000005
【図４】
2009294715.tif 000006
【図５】
2009294715.tif 000007
【図６】
2009294715.tif 000008
【図７】
2009294715.tif 000009